【手続補正書】
【提出日】平成18年10月19日(2006.10.19)
【手続補正１】
【補正対象書類名】明細書
【補正対象項目名】特許請求の範囲
【補正方法】変更
【補正の内容】
【特許請求の範囲】
【請求項１】
結像光学系を介して得られた光学像を光電変換素子で電気画像信号に変換し、記憶する撮像装置であって、
特定画像パターンを記憶する記憶手段と、
前記電気画像信号の部分画像と、前記特定画像パターンの相関値を算出する相関値算出手段と、
前記相関値算出手段により算出された相関値の極大値を検出する極大値検出手段と、
前記極大値検出手段により検出された極大値に対応する部分画像に基づいて、自動焦点制御、自動露出制御、自動ホワイトバランス、拡大処理、および縮小処理の少なくとも１つを含む制御を行う制御手段とを有することを特徴とする撮像装置。
【請求項２】
前記極大値検出手段は、前記相関値算出手段により算出された相関値を閾値と比較する比較手段と、
前記比較手段により相関値が前記閾値以上であると判断された場合に、相関値がもっとも大きく変化する方向を算出し、算出した方向に前記電気画像信号の部分画像の位置をシフトするシフト手段と、
前記シフト手段によりずらされた位置の部分画像と前記特定画像パターンとの相関値の最大値を検出する最大値検出手段とを有することを特徴とする請求項１に記載の撮像装置。
【請求項３】
前記制御手段は前記電気画像信号に前記拡大処理および縮小処理を行なうものであり、前記極大値検出手段は、前記最大値検出手段により検出された最大値の相関値に対応する部分画像と前記特定画像パターンとの相関値が最大になるように、前記拡大処理および縮小処理の倍率を設定する手段を更に有することを特徴とする請求項２に記載の撮像装置。
【請求項４】
前記極大値検出手段により検出された極大値に対応する部分画像が、特定画像パターンが示す目的の対象物であるか否かを判断する判断手段と、
前記判断手段が、前記部分画像が目的の対象物ではないと判断した場合に、前記電気画像信号の部分画像の位置をシフトさせる手段を更に有することを特徴とする請求項２または３に記載の撮像装置。
【請求項５】
前記記憶手段は、特定画像パターンとして大きさの異なる複数の相似の画像パターンを記憶し、前記記憶手段に記憶された複数の画像パターンの１つを選択する選択手段を更に有することを特徴とする請求項１乃至４のいずれか一項に記載の撮像装置。
【請求項６】
前記制御手段は前記電気画像信号に前記拡大処理および縮小処理を行なうものであり、前記相関値算出手段は、前記拡大処理または縮小処理された電気画像信号の部分画像と、前記特定画像パターンとの相関値を算出することを特徴とする請求項１または２記載の撮像装置。
【請求項７】
前記極大値検出手段において、前記相関値が極大値をとる位置を検出する際に用いる前記電気画像信号は、前記拡大処理が行なわれているならばローパスフィルタ等によりぼかされた画像を用い、前記拡大処理が行なわれていないならばぼかされていない画像を用いることを特徴とする請求項３または６に記載の撮像装置。
【請求項８】
前記撮像装置はビデオカメラであることを特徴とする請求項１乃至７のいずれか一項に記載の撮像装置。
【請求項９】
結像光学系を介して得られた光学像を光電変換素子で電気画像信号に変換し、記憶する撮像装置の制御方法であって、
前記電気画像信号の部分画像と、予め記憶された特定画像パターンの相関値を算出する相関値算出工程と、
前記相関値算出工程において算出された相関値の極大値を検出する極大値検出工程と、
前記極大値検出工程において検出された極大値に対応する部分画像に基づいて、自動焦点制御、自動露出制御、自動ホワイトバランス、拡大処理、および縮小処理の少なくとも１つを含む制御を行う制御工程とを有することを特徴とする撮像装置の制御方法。
【請求項１０】
前記極大値検出工程は、前記相関値算出工程により算出された相関値を閾値と比較する比較工程と、
前記比較工程において相関値が前記閾値以上であると判断された場合に、相関値がもっとも大きく変化する方向を算出し、算出した方向に前記電気画像信号の部分画像の位置をシフトするシフト工程と、
前記シフト工程によりずらされた位置の部分画像と前記特定画像パターンとの相関値の最大値を検出する最大値検出工程とを有することを特徴とする請求項９に記載の撮像装置の制御方法。
【請求項１１】
前記制御工程は前記電気画像信号に前記拡大処理および縮小処理を行なうものであり、前記極大値検出工程は、前記最大値検出工程において検出された最大値の相関値に対応する部分画像と前記特定画像パターンとの相関値が最大になるように、前記拡大処理および縮小処理の倍率を設定する工程を更に有することを特徴とする請求項１０に記載の撮像装置の制御方法。
【請求項１２】
コンピュータに、請求項９乃至１１のいずれか一項に記載の撮像装置の制御方法の各工程を実行させるためのプログラムを記録したコンピュータ読み取り可能な記憶媒体。
【手続補正２】
【補正対象書類名】明細書
【補正対象項目名】０００７
【補正方法】変更
【補正の内容】
【０００７】
【課題を解決するための手段】
本発明は上記問題点を鑑みてなされたものであり、本発明における結像光学系を介して得られた光学像を光電変換素子で電気画像信号に変換し、記憶する撮像装置は、特定画像パターンを記憶する記憶手段と、前記電気画像信号の部分画像と、前記特定画像パターンの相関値を算出する相関値算出手段と、前記相関値算出手段により算出された相関値の極大値を検出する極大値検出手段と、前記極大値検出手段により検出された極大値に対応する部分画像に基づいて、自動焦点制御、自動露出制御、自動ホワイトバランス、拡大処理、および縮小処理の少なくとも１つを含む制御を行う制御手段とを有する。
【手続補正３】
【補正対象書類名】明細書
【補正対象項目名】０００８
【補正方法】変更
【補正の内容】
【０００８】
また、本発明における結像光学系を介して得られた光学像を光電変換素子で電気画像信号に変換し、記憶する撮像装置の制御方法は、前記電気画像信号の部分画像と、予め記憶された特定画像パターンの相関値を算出する相関値算出工程と、前記相関値算出工程において算出された相関値の極大値を検出する極大値検出工程と、前記極大値検出工程において検出された極大値に対応する部分画像に基づいて、自動焦点制御、自動露出制御、自動ホワイトバランス、拡大処理、および縮小処理の少なくとも１つを含む制御を行う制御工程とを有する。
【手続補正４】
【補正対象書類名】明細書
【補正対象項目名】０００９
【補正方法】変更
【補正の内容】
【０００９】
本発明の好適な一様態によれば、前記極大値検出手段は、前記相関値算出手段により算出された相関値閾値と比較する比較手段と、前記比較手段により相関値が前記閾値以上であると判断された場合に、相関値がもっとも大きく変化する方向を算出し、算出した方向に前記電気画像信号の部分画像の位置をシフトするシフト手段と、前記シフト手段によりずらされた位置の部分画像と前記特定画像パターンとの相関値の最大値を検出する最大値検出手段とを有する。
【手続補正５】
【補正対象書類名】明細書
【補正対象項目名】００１０
【補正方法】変更
【補正の内容】
【００１０】
また、前記極大値検出工程は、前記相関値算出工程により算出された相関値を閾値と比較する比較工程と、前記比較工程において相関値が前記閾値以上であると判断された場合に、相関値がもっとも大きく変化する方向を算出し、算出した方向に前記電気画像信号の部分画像の位置をシフトするシフト工程と、前記シフト工程によりずらされた位置の部分画像と前記特定画像パターンとの相関値の最大値を検出する最大値検出工程とを有する。
【手続補正６】
【補正対象書類名】明細書
【補正対象項目名】００１２
【補正方法】変更
【補正の内容】
【００１２】
更に、本発明の好適な一様態によれば、前記制御手段は前記電気画像信号に前記拡大処理および縮小処理を行なうものであり、前記極大値検出手段は、前記最大値検出手段により検出された最大値の相関値に対応する部分画像と前記特定画像パターンとの相関値が最大になるように、前記拡大処理および縮小処理の倍率を設定する手段を更に有する。
【手続補正７】
【補正対象書類名】明細書
【補正対象項目名】００１３
【補正方法】変更
【補正の内容】
【００１３】
また、前記制御工程は前記電気画像信号に前記拡大処理および縮小処理を行なうものであり、前記極大値検出工程は、前記最大値検出工程において検出された最大値の相関値に対応する部分画像と前記特定画像パターンとの相関値が最大になるように、前記拡大処理および縮小処理の倍率を設定する工程を更に有する。
【手続補正８】
【補正対象書類名】明細書
【補正対象項目名】００１４
【補正方法】変更
【補正の内容】
【００１４】
更に、本発明の好適な一様態によれば、前記極大値検出手段により検出された極大値に対応する部分画像が、特定画像パターンが示す目的の対象物であるか否かを判断する判断手段と、前記判断手段が、前記部分画像が目的の対象物ではないと判断した場合に、前記電気画像信号の部分画像の位置をシフトさせる手段を更に有する。
【手続補正９】
【補正対象書類名】明細書
【補正対象項目名】００１５
【補正方法】削除
【補正の内容】
【手続補正１０】
【補正対象書類名】明細書
【補正対象項目名】００１７
【補正方法】変更
【補正の内容】
【００１７】
また、本発明の好適な一様態によれば、撮影画像における、例えば人の顔というような目的対象物の特定画像パターンを、テンプレートマッチング法により検出し、検出した前記特定画像に対応する撮影画像の部分に基づいて、自動焦点制御、自動露出制御、自動ホワイトバランス制御、拡大処理制御、および縮小処理制御を行なうことができるため、被写体が画面の中心に位置しなくても効果的に上記各制御を行なった撮影が可能となる。
【手続補正１１】
【補正対象書類名】明細書
【補正対象項目名】００１９
【補正方法】変更
【補正の内容】
【００１９】
更に、本発明の好適な一様態によれば、前記制御手段は前記電気画像信号に前記拡大処理および縮小処理を行なうものであり、前記相関値算出手段は、前記拡大処理または縮小処理された電気画像信号の部分画像と、前記特定画像パターンとの相関値を算出する。上記構成により、より効率的に極大値を検出することができる。
【手続補正１２】
【補正対象書類名】明細書
【補正対象項目名】００２０
【補正方法】変更
【補正の内容】
【００２０】
更に、本発明の好適な一様態によれば、前記極大値検出手段において、前記相関値が極大値をとる位置を検出する際に用いる前記電気画像信号は、前記拡大処理が行なわれているならばローパスフィルタ等によりぼかされた画像を用い、前記拡大処理が行なわれていないならばぼかされていない画像を用いる。
【手続補正１３】
【補正対象書類名】明細書
【補正対象項目名】００７２
【補正方法】変更
【補正の内容】
【００７２】
【発明の効果】
以上説明したとおり、本発明によれば、撮影画像における、例えば人の顔というような目的対象物の特定画像パターンを、テンプレートマッチング法により検出し、検出した前記特定画像に対応する撮影画像の部分に基づいて、例えば、自動焦点制御、自動露出制御、自動ホワイトバランス制御、拡大処理制御、および縮小処理制御等の予め決められた制御を行なうことができるため、被写体が画面の中心に位置しなくても効果的に上記各制御を行なった撮影が可能となる。
【手続補正１４】
【補正対象書類名】明細書
【補正対象項目名】００７３
【補正方法】削除
【補正の内容】
【手続補正１５】
【補正対象書類名】明細書
【補正対象項目名】００７４
【補正方法】削除
【補正の内容】